(57)【特許請求の範囲】
【請求項１】
遊技機島の台間に設けられた遊技媒体貸出機に設けられた紙葉類識別装置に対して、該紙葉類識別装置から送られてくる紙葉類を紙葉類搬送ユニットに送り込む紙葉類受取ユニットを固定するための紙葉類搬送装置固定具であって、
前記遊技媒体貸出機の奥側に設けられ、該遊技媒体貸出機に前記紙葉類識別装置を固定する紙葉類識別装置保持金具と、前記紙葉類識別装置の背面から上下方向に配列させて少なくとも２本突出し、先端部に、前記紙葉類受取ユニットを固定する棒状の結合部材と、前記紙葉類識別装置保持金具に固定され、前記結合部材の内の上方の結合部材の中間部を保持する上部位置決め保持金具と、前記遊技媒体貸出機の奥側上面に固定され、前記結合部材の内の下方の結合部材の中間部を保持する下部位置決め保持金具とを具えたことを特徴とする紙葉類搬送装置固定具。
【請求項２】
前記上部位置決め保持金具及び下部位置決め保持金具に、前記結合部材を挟持可能なコの字状の切欠を設け、その中に結合部材を挟持させるようにしたことを特徴とする請求項１記載の紙葉類搬送装置固定具。
【請求項３】
前記上部位置決め保持金具の、前記紙葉類識別装置保持金具に対する固定位置を高さ方向に調整可能にしたことを特徴とする請求項１又は２記載の紙葉類搬送装置固定具。
【発明の詳細な説明】
【０００１】
【発明の属する技術分野】
本発明は、パチンコ店，パチスロ店等において、台間に設けられた玉貸機，コイン貸機等に付設された紙幣識別装置等から所定箇所まで紙幣等の紙葉類を搬送する紙葉類搬送装置を固定するための紙葉類搬送装置固定具に関するものである。
【０００２】
【従来の技術】
図４は、従来の紙葉類搬送装置の固定構造を示す図である。図４において、１はメダル貸機、２は紙幣識別装置、３は紙幣識別装置保持金具、４は紙幣受取ユニット、５は紙幣搬送路、６は上部結合部材、７は下部結合部材である。
【０００３】
メダル貸機１は、横方向に複数台並べられたスロットマシン島の台間に設けられ、その上部には、前面に紙幣挿入口を具えた紙幣識別装置２が設けられている。図示はしないが、メダル貸機１と紙幣識別装置２との間には、適当な厚さの棚板が配置され、その上に紙幣識別装置２が載置される形で設けられる。さらに、メダル貸機１の奥部上面に紙幣識別装置保持金具３が固定され、該紙幣識別装置保持金具３により、メダル貸機１と紙幣識別装置２とが固定されている。
【０００４】
紙幣受取ユニット４の左右両側には、長尺の紙幣搬送ユニット（図示せず）が設けられる。そして、紙幣識別装置２に挿入され、金種が識別された紙幣は、紙幣搬送路５を通して紙幣受取ユニット４に送られてくる。それを、上記紙幣搬送ユニットにより島端等の特定の場所に設けられた金庫まで搬送するようにしている。
【０００５】
それら紙幣受取ユニット４及び紙幣搬送ユニット等、紙葉類搬送装置の固定具としては、パイプ状の連結部材が用いられている。すなわち、紙幣受取ユニット４及び紙幣搬送ユニットは、紙幣識別装置２の背面から突出させたパイプ状の上部結合部材６，下部結合部材７により、紙幣識別装置２に固定される。そして、紙幣識別装置２は、紙幣識別装置保持金具３によりメダル貸機１に固定されているため、紙幣受取ユニット４及び紙幣搬送ユニットは位置が保持される。
【０００６】
なお、このような紙葉類搬送装置に関連する従来の文献としては、例えば、特開平8-40593 号公報（B65H 5/02), 特開平8-40596 号公報（B65H 5/06)等がある。
【０００７】
【発明が解決しようとする課題】
しかしながら、上記紙幣受取ユニット４及び紙幣搬送ユニットは、重量が重く、しかも、駆動部分を含んでいて振動が加わるため、上記従来の紙葉類搬送装置固定具では、紙幣受取ユニット４が下方に下がったり、捻じれたりして、紙幣搬送路５の位置出しが困難になるという問題点があった。
【０００８】
本発明は、そのような問題点を解決し、紙幣受取ユニット４及び紙幣搬送ユニット等の紙葉類搬送装置を重力や捻じれ力に抗して安定的に保持できるようすることを目的とするものである。
【０００９】
【課題を解決するための手段】
前記課題を解決するため、請求項１に記載の紙葉類搬送装置固定具は、遊技機島の台間に設けられた遊技媒体貸出機に設けられた紙葉類識別装置に対して、該紙葉類識別装置から送られてくる紙葉類を紙葉類搬送ユニットに送り込む紙葉類受取ユニットを固定するための紙葉類搬送装置固定具であって、前記遊技媒体貸出機の奥側に設けられ、該遊技媒体貸出機に前記紙葉類識別装置を固定する紙葉類識別装置保持金具と、前記紙葉類識別装置の背面から上下方向に配列させて少なくとも２本突出し、先端部に、前記紙葉類受取ユニットを固定する棒状の結合部材と、前記紙葉類識別装置保持金具に固定され、前記結合部材の内の上方の結合部材の中間部を保持する上部位置決め保持金具と、前記遊技媒体貸出機の奥側上面に固定され、前記結合部材の内の下方の結合部材の中間部を保持する下部位置決め保持金具とを具えたことを特徴とする。このようにすると、紙葉類受取ユニットを安定的に保持できるようになる。
【００１０】
そして、請求項２に記載の紙葉類搬送装置固定具は、前記上部位置決め保持金具及び下部位置決め保持金具に、前記結合部材を挟持可能なコの字状の切欠を設け、その中に結合部材を挟持させるようにしたことを特徴とする。このようにすると、簡単な構造で安定的な保持が可能になる。
【００１１】
また、請求項３に記載の紙葉類搬送装置固定具は、前記上部位置決め保持金具の、前記紙葉類識別装置保持金具に対する固定位置を高さ方向に調整可能にしたことを特徴とする。このようにすると、遊技機島の様々な高さ仕様に対して対応可能になる。
【００１２】
【発明の実施の形態】
以下、本発明の実施の形態を図面に基づいて詳細に説明する。
図１は、本発明の一実施形態を示す図である。符号は、図４のものに対応しており、８は上部位置決め保持金具、９は高さ調整孔、１０はビス、１１は下部位置決め保持金具である。
【００１３】
上部位置決め保持金具８は、図２に示すように、中央部には、上方に開口し、上部結合部材６の径より僅かに大きい幅のコの字状の切欠１２を有しており、その中に上部結合部材６を配置させるようにしている。また、切欠１２の両側には、複数個のビス孔９を所定の間隔で縦方向に配設している。
【００１４】
ここで、複数個のビス孔９を所定の間隔で縦方向に配設した理由について説明する。前述したように、メダル貸機１と紙幣識別装置２との間には、適当な厚さの棚板が配置され、その棚板の厚さを変えることにより、遊技機島の高さ仕様が調整されるが、そのように棚板の厚さが変化すると紙幣識別装置２の取付高さも変えざるを得なくなる。そして、紙幣識別装置２の取付高さが変わると、上部結合部材６の高さも変わるため、上部位置決め保持金具８の取付高さもそれに合わせて調整する必要が生じる。その際に、複数個のビス孔９を所定の間隔で縦方向に配設し、上部位置決め保持金具８の取付高さを最適な位置に調整することができるようにしているのである。
【００１５】
そして、上部結合部材６を切欠１２で挟持させながら、上部位置決め保持金具８を上部結合部材６と直角になるように配置し、切欠１２の底縁が上部結合部材６に接触する位置まで持ち上げる。その状態で最も適合するビス孔９にビス１０を差し込んで、上部位置決め保持金具８を紙幣識別装置保持金具３の上部に固定する。その結果、上部結合部材６は、横方向のずれに対しては切欠１２の両側縁で保持され、下方へのずれに対しては切欠１２の底縁で保持される。
【００１６】
一方、下部位置決め保持金具１１は、図３に示すように、中央部に、上方に開口し、下部結合部材７の径より僅かに大きい幅のコの字状の切欠１３を有しており、その中に下部結合部材７を配置させるようにしている。そして、下部結合部材７を切欠１３で挟持させながら、下部位置決め保持金具１１を下部結合部材７と直角になるように配置し、ビス止め等によりメダル貸機１の上面最奥部に固定する。その結果、下部結合部材７は、横方向のずれに対して切欠１３の両側縁で保持される。
【００１７】
なお、上記実施形態では、上部結合部材６，下部結合部材７としてパイプ状の部材を用いたが、それに限定されず、棒状部材であれば中実も部材でもよい。また、高さ調節のためビス孔９を複数個縦方向に設けたが、縦方向に長孔を設けてもよい。そしてまた、台間に設けられたメダル貸機１に付設された紙幣識別装置２から所定箇所まで紙幣を搬送する場合で説明したが、本発明はそれに限定されず、パチンコ店等において玉貸機に付設された紙幣識別装置から紙幣を搬送する搬送装置にも適用できる。さらに、搬送する対象も紙幣に限定されず、カード等、その他の紙葉類の搬送装置にも適用できる。
【００１８】
【発明の効果】
本発明は、以上説明したように構成されているので、次に記載するような効果を奏する。
すなわち、請求項１に記載の紙葉類搬送装置固定具は、棒状の結合部材を紙葉類識別装置の背面から上下方向に配列させて少なくとも２本突出させ、それらの先端部に紙葉類受取ユニットを固定するとともに、紙葉類識別装置保持金具に固定された上部位置決め保持金具により前記結合部材の内の上方の結合部材の中間部を保持し、遊技媒体貸出機の奥側上面に固定された下部位置決め保持金具により前記結合部材の内の下方の結合部材の中間部を保持するようにした。その結果、紙葉類受取ユニットに上下及び左右方向に荷重がかかっても、結合部材の位置を確実に保持でき、紙葉類受取ユニットを含む紙葉類搬送装置を安定的に保持できるようになる。
【００１９】
そして、請求項２に記載の紙葉類搬送装置固定具は、前記上部位置決め保持金具及び下部位置決め保持金具に、前記結合部材を挟持可能なコの字状の切欠を設け、その中に結合部材を挟持させるようにしたので、簡単な構造で安定的な保持が可能になる。
【００２０】
また、請求項３に記載の紙葉類搬送装置固定具は、前記上部位置決め保持金具の、前記紙葉類識別装置保持金具に対する固定位置を高さ方向に調整可能にしたので、遊技機島の様々な高さ仕様に対して対応可能になる。
【図面の簡単な説明】
【図１】本発明の一実施形態を示す図である。
【図２】上部位置決め保持金具を示す図である。
【図３】下部位置決め保持金具を示す図である。
【図４】従来の紙葉類搬送装置の固定構造を示す図である。
【符号の説明】
１…メダル貸機
２…紙幣識別装置
３…紙幣識別装置保持金具
４…紙幣受取ユニット
５…紙幣搬送路
６…上部結合部材
７…下部結合部材
８…上部位置決め保持金具
９…ビス孔
１０…ビス
１１…下部位置決め保持金具
【図１】
0003670910.tif 000002
【図２】
0003670910.tif 000003
【図３】
0003670910.tif 000004
【図４】
0003670910.tif 000005